(57)【要約】【課題】ユーザが被撮像物の名称等を知らなくても、当該撮像画像を用いて検索精度良く被撮像物の名称等を検索できる画像情報処理システムを提供する。【解決手段】照合用被撮像物が撮像された照合用画像データに、その名称を含む識別情報を関連付けて記憶する画像データベース１１と、画像データを取得する画像取得部１２と、画像データから検索対象物の選択を受け付ける検索対象入力受付部１３と、検索対象物と照合用被撮像物との類似度を算出し、類似度が基準値を超えた照合用画像データを検索する画像検索処理部１４と、その検索結果を表示させる表示処理部１５と、検索結果に対するユーザからの選択入力を受け付け、画像取得部１１が取得した画像データを照合用画像データとして、ユーザからの選択入力を受け付けた検索結果の識別情報に関連付けて画像データベース１１に記憶する検索結果処理部１６とを有する。【選択図】図１
2017004252.tif 000002
【特許請求の範囲】
【請求項１】
照合用被撮像物が撮像された照合用画像データに、前記照合用被撮像物の名称を含む識別情報を関連付けて記憶する画像データベースと、
画像データを取得する画像取得部と、
前記画像取得部が取得した画像データから検索対象物の選択を受け付ける検索対象入力受付部と、
前記検索対象入力受付部が受け付けた検索対象物と、前記画像データベースに記憶された照合用被撮像物との類似度を算出し、前記類似度が基準値を超えた照合用被撮像物が撮像された照合用画像データを検索する画像検索処理部と、
検索された前記照合用画像データと前記識別情報とを含む検索結果をユーザが利用する情報通信端末の表示部に表示させる表示処理部と、
前記情報通信端末の表示部に表示された前記検索結果に対するユーザからの選択入力を受け付け、前記画像取得部が取得した前記画像データを照合用画像データとして、ユーザからの選択入力を受け付けた前記検索結果の前記識別情報に関連付けて前記画像データベースに記憶する検索結果処理部と、
を有することを特徴とする画像情報処理システム。
【請求項２】
前記検索結果処理部が、前記類似度が前記基準値より高く設定された所定値を超えた検索対象物が撮像された画像データを照合用画像データとして、ユーザからの選択入力を受け付けた前記検索結果の前記識別情報に関連付けて前記画像データベースに記憶することを特徴とする請求項１に記載の画像情報処理システム。
【請求項３】
前記画像データベースは、前記照合用被撮像物が撮像された照合用画像データに対応する種類情報、撮影位置情報、及び撮影時間情報を含む属性情報を前記識別情報に関連付け記憶し、
前記検索対象入力受付部は、前記検索対象物に対応する前記属性情報の入力を受け付け、
前記画像検索処理部は、前記検索対象入力受付部が入力を受け付けた前記検索対象物に対応する前記属性情報と前記照合用画像データに対応する前記属性情報との一致度を算出し、前記一致度が属性基準値を超えた照合用被撮像物が撮像された照合用画像データを抽出し、前記検索対象入力受付部が受け付けた前記検索対象物と抽出した前記照合用画像データの照合用被撮像物との類似度を算出し、類似度が基準値を超えた照合用被撮像物が撮像された前記照合用画像データを検索することを特徴とする請求項１又は２に記載の画像情報処理システム。
【発明の詳細な説明】
【技術分野】
【０００１】
本発明は、画像データ上の被撮像物の名称や説明文を検索し、利用者に提供する画像情報処理システムに関する。
【背景技術】
【０００２】
カメラ機能を備えたスマートフォン等の普及により、ユーザが旅先や日常生活等で気になる花や鳥を始め、建造物、山といった自然景観を撮影するケースが増えてきている。
【０００３】
ユーザが撮影した被撮像物の詳しい情報を調べようとした際、被撮像物の名称さえ知らないことが多く、キーワード検索を行おうとしても、適切なキーワードを入力することが困難なことが多く、ユーザが満足する検索結果を得ることは困難であった。
【０００４】
そこで、特許文献１に開示されたような画像検索方法および装置では、未知の対象を撮影した撮像画像からその対象に関する情報を得ることができる。当該画像検索方法は、被写体の撮像画像を二値化した画像と、画像データベースに格納されている項目毎の二値化画像との比較等を実施することにより、被写体の名称の候補を画像データベースから検索するものである。
【先行技術文献】
【特許文献】
【０００５】
【特許文献１】特開平１０−２５４９０１号公報
【発明の概要】
【発明が解決しようとする課題】
【０００６】
しかしながら、撮像画像と比較するために画像データベースに格納された画像が限られて居るため、同じ被写体であっても、撮影された季節や時間帯の違いといった撮影条件の違いにより、撮像画像と画像データベースに格納された画像を比較したとしても、検索結果に大きな違いが生じる。このような違いを考慮するため、比較の結果から算出した類似度にあいまいさを大きくして検索結果を得やすくしているが、検索精度の低下を招く結果となっていた。
【０００７】
本発明は、上記課題に鑑みて、画像情報処理システムを提供することにある。
【課題を解決するための手段】
【０００８】
上記課題を解決するためになされた本発明の画像情報処理システムは、照合用被撮像物が撮像された照合用画像データに、前記照合用被撮像物の名称を含む識別情報を関連付けて記憶する画像データベースと、画像データを取得する画像取得部と、前記画像取得部が取得した画像データから検索対象物の選択を受け付ける検索対象入力受付部と、前記検索対象入力受付部が受け付けた検索対象物と、前記画像データベースに記憶された照合用被撮像物との類似度を算出し、前記類似度が基準値を超えた照合用被撮像物が撮像された照合用画像データを検索する画像検索処理部と、検索された前記照合用画像データと前記識別情報とを含む検索結果をユーザ情報通信端末の表示部に表示させる表示処理部と、前記ユーザ情報通信端末の表示部に表示された前記検索結果に対するユーザからの選択入力を受け付け、前記画像取得部が取得した前記画像データを照合用画像データとして、ユーザからの選択入力を受け付けた前記検索結果の前記識別情報に関連付けて前記画像データベースに記憶する検索結果処理部とを有することを特徴とする。
この構成により、例えばユーザが撮影した撮像画像等から被撮像物の名称等を知らなくても、当該撮像画像を用いて検索精度良く被撮像物の名称等を検索することを可能とする。
【０００９】
また、本発明の画像情報処理システムは、前記検索結果処理部が、前記類似度が前記基準値より高く設定された所定値を超えた検索対象物が撮像された画像データを照合用画像データとして、ユーザからの選択入力を受け付けた前記検索結果の前記識別情報に関連付けて前記画像データベースに記憶することを特徴とする。
この構成により、照合用画像データとして画像データベースに記憶される画像データが類似度が高い画像データに限定されるため、画像検索の精度をより向上させることができる。
【００１０】
また、本発明の画像情報処理システムは、前記画像データベースは、前記照合用被撮像物が撮像された照合用画像データに対応する種類情報、撮影位置情報、及び撮影時間情報を含む属性情報を前記識別情報に関連付け記憶し、前記検索対象入力受付部は、前記検索対象物に対応する前記属性情報の入力を受け付け、前記画像検索処理部は、前記検索対象入力受付部が入力を受け付けた前記検索対象物に対応する前記属性情報と前記照合用画像データに対応する前記属性情報との一致度を算出し、前記一致度が属性基準値を超えた照合用被撮像物が撮像された照合用画像データを抽出し、前記検索対象入力受付部が受け付けた前記検索対象物と抽出した前記照合用画像データの照合用被撮像物との類似度を算出し、類似度が基準値を超えた照合用被撮像物が撮像された前記照合用画像データを検索することを特徴とする。
この構成により、属性情報が一致した照合用画像データを抽出し、類似度を算出するため、検索処理速度を向上させることができる。
【発明の効果】
【００１１】
本発明の画像情報処理システムは、例えばユーザが撮影した撮像画像等から被撮像物の名称等を知らなくても、当該撮像画像を用いて検索精度良く被撮像物の名称等を検索できる。
【図面の簡単な説明】
【００１２】
【図１】本実施形態の画像情報処理システムのシステム構成の一例を模式的に示す概念図である。
【図２】本実施形態の画像情報処理システムのハードウェア構成の一例を模式的に示す概念図である。
【図３】本実施形態の照合用画像情報のレコードの項目の一例を示す図である。
【図４】本実施形態の照合用画像データのレコードの項目の一例を示す図である。
【図５】本実施形態の検索対象物が選択された状態の一例を示す図である。
【図６】本実施形態の検索結果が表示された状態の一例を示す図である。
【図７】本実施形態の検索結果が表示された状態の別の一例を示す図である。
【図８】本実施形態の画像データを照合用画像データとして登録することを促す画面の一例を示す図である。
【図９】本実施形態の画像データを照合用画像データとして登録する処理の説明図である。
【図１０】実施例１の画像情報処理システムの処理プロセスを示すフローチャートである。
【図１１】実施例２の画像情報処理システムの処理プロセスを示すフローチャートである。
【図１２】実施例３の画像情報処理システムの処理プロセスを示すフローチャートである。
【図１３】本実施形態の検索結果が表示された状態の別の一例を示す図である。
【発明を実施するための最良の形態】
【００１３】
以下、本実施形態の画像情報処理システムのシステム構成を図１に基づいて説明する。
【００１４】
本実施形態の画像情報処理システム１は、サーバ等を含むコンピュータを用いて実現される。本実施形態の画像情報処理システム１は、図２に示す通り、コンピュータは、プログラムの演算処理を実行するＣＰＵ等の演算装置３０と、情報を記憶するＲＡＭやハードディスク等の記憶装置３１と、表示を行うディスプレイ等の表示装置３２と、入力を行うマウスや、キーボード、タッチパネル等の入力装置３３と、演算装置３０の処理結果や記憶装置３１に記憶する情報を、コンピュータ間で送受信する通信装置３４とを有している。
【００１５】
本発明における各手段は、その機能が論理的に区別されているのみであって、物理上あるいは事実上は同一の領域を為していても良い。また、本発明の画像情報処理システム１は、これらが一つのサーバでその機能を実現していても良いし、各機能を２台以上のサーバに分散しても良い。また、本発明の機能の一部または全部を、ユーザが利用するカメラ機能を備えたスマートフォンといった情報通信端末２０で行っても良い。特に、後述する画像取得部１２、検索対象入力受付部１３、表示処理部１５等の処理を情報通信端末２０で行っても良い。これによって管理サーバ１０の処理の負荷を減らすことが出来る。
【００１６】
画像情報処理システム１の各機能を備える管理サーバ１０は、ユーザが利用する管理者の利用する情報通信端末２０と、インターネット等のネットワークを介して情報の送受信が可能である。情報通信端末２０としては、例えばカメラ機能を備えたスマートフォンのほか、パーソナルコンピュータや、携帯電話、ＰＨＳ、及びタブレット型コンピュータ等の可搬型通信端末等を含む。
【００１７】
画像情報処理システム１は、画像データベース１１と、画像取得部１２と、検索対象入力受付部１３と、画像検索処理部１４と、表示処理部１５と、検索結果処理部１６とを有する。
【００１８】
画像データベース１１は、図３に示すように照合用被撮像物が撮像された照合用画像データ１００に、照合用被撮像物の名称を含む識別情報１００ａを関連付けて記憶する。照合用画像データ１００は、図４に示すように草花や、鳥や、虫と言った動植物を始め、橋や、塔と言った建造物、さらに山と言った自然景観の画像ファイルと、当該画像ファイル毎に付された画像ＩＤとからなる。また、画像データベース１１は、照合用被撮像物が撮像された照合用画像データ１００に対応する種類情報、撮影位置情報、及び撮影時間情報を含む属性情報１００ｂを識別情報１００ａに関連付けて記憶してもよい。
【００１９】
画像取得部１２は、ユーザが利用する情報通信端末２０から画像データ２を取得する。画像データ２のファイル形式は特に限定されず、例えば情報通信端末２０がカメラ機能を備えたスマートフォンである場合、ユーザが当該カメラで撮像した画像データ２であってもよい。
【００２０】
検索対象入力受付部１３は、画像取得部１２が取得した画像データ２の中から検索対象物２ａの選択を受け付ける。検索対象物２ａの選択を受け付ける手段としては、例えば情報通信端末２０の液晶ディスプレイ等からなる表示部２１に画像データ２を表示させ、ユーザが画像データ２の被撮像物の中から、ユーザが検索対象物２ａをタップする手段や、図５に示すように選択ウィンドウ３を移動させ、検索対象物２ａを囲む手段や、情報通信端末２０の表示部２１側に設けられた、いわゆるインカメラによってユーザが検索対象物２ａに向けた視線情報を読み取る手段等が挙げられる。
【００２１】
そして、検索対象入力受付部１３は、受け付けた検索対象物２ａの部分を切り出し、拡大、回転、移動させることにより、画像データベース１１に記憶された照合用画像データ１００と類似度を算出しやすい構図となるよう画像データ２を変換させてもよい。
【００２２】
さらに、検索対象入力受付部１３は、検索対象物２ａに対応する属性情報の入力を受け付けてもよい。検索対象物２ａに対応する属性情報は、種類情報、撮影位置情報、及び撮影時間情報等が挙げられる。種類情報としては、「草花」、「鳥」、「昆虫」、「建造物」、「自然景観」等が挙げられる。撮影位置情報としては、撮影した場所の情報であって、例えば情報通信端末２０に設けられたＧＰＳ装置から撮影位置情報を取得してもよい。撮影時間情報としては、時刻情報だけではなく、日付情報も含まれる。
【００２３】
画像検索処理部１４は、検索対象入力受付部１３が受け付けた検索対象物２ａと、画像データベース１１に記憶された照合用画像データ１００の照合用被撮像物との類似度を算出し、類似度が基準値を超えた照合用被撮像物が撮像された照合用画像データ１００を検索する。ここで、類似度を算出する方法としては、公知の画像処理技術によって抽出される、輪郭形状、二値化画像、色分布等を用いて算出する。類似度は、検索対象物２ａと照合用被撮像物とが完全に一致した場合を１００％として、算出する。
【００２４】
また、画像検索処理部１４は、検索対象入力受付部１３が入力を受け付けた検索対象物２に対応する属性情報と照合用画像データ１００に対応する属性情報１００ｂとの一致度を算出し、一致度が属性基準値を超えた照合用被撮像物が撮像された照合用画像データ１００を抽出し、検索対象入力受付部１３が受け付けた検索対象物２ａと抽出した照合用画像データ１００の照合用被撮像物との類似度を算出し、類似度が基準値を超えた照合用被撮像物が撮像された照合用画像データ１００を検索する。一致度は、属性情報毎に属性基準値を設定するとよく、例えば種類情報の属性基準値は完全に一致した場合とするとよい。
【００２５】
表示処理部１５は、検索された照合用画像データ１００と識別情報１００ａとを検索結果１１０を情報通信端末２０の表示部２１に表示させる。表示処理部１５は、検索結果１１０を類似度が高い順から低い順になるように並べて表示させることができる。さらに、表示処理部１５は、図６に示すように類似度に合わせて検索結果１１０の表示サイズを変化させて表示することにより、ユーザが類似度の高い検索結果１１０を視覚的に認識しやすくなる。
【００２６】
また、表示処理部１５は、ユーザからの情報通信端末２０の表示部２１に表示された検索結果２００に対する選択入力を受け付けると、図７に示すように照合用被撮像物と照合用被撮像物に対応する識別情報１００ａとから構成される画面１１０ａを情報通信端末２０の表示部２１に表示する。さらに、表示処理部１５は、画面１１０ａに表示された登録ボタン１１１に対するユーザからの入力を受け付けると、図８に示す情報通信端末２０の表示部２１に表示された画像データ２を登録するか否かの選択入力を促す画面を表示する。
【００２７】
検索結果処理部１６は、情報通信端末２０の表示部２１に表示された画像データ２を登録するか否かの選択入力を促す画面に対するユーザからの選択入力を受け付け、画像取得部１２が取得した画像データ２を照合用画像データ１００として、ユーザからの選択入力を受け付けた検索結果１１０の識別情報１００ａに関連付けて画像データベース１１に記憶する。具体的には、図９に示すように画像データ２に照合用画像データ１００を区別するための画像ＩＤを付与すると共に、識別情報１００ａの識別ＩＤに関連付けて、画像データベース１１に記憶する。
【００２８】
また、検索結果処理部１６は、類似度が基準値より高く設定された所定値を超えた検索対象物２ａが撮像された画像データ２に限定し、照合用画像データ１００として、ユーザからの選択入力を受け付けた検索結果１１０の識別情報１００ａに関連付けて画像データベース１１に記憶してもよい。
【実施例１】
【００２９】
次に、画像情報処理システム１の処理プロセスの一例を図１０のフローチャートを用いて、以下、説明する。
【００３０】
本実施例１では、情報通信端末２０であるカメラ機能を備えたスマートフォンのカメラを用いて、例えば公園等に植えられている未知の花を撮影し（Ｓ１０１）、撮像した「花」の画像データ２から当該花の名称を含む識別情報を表示する処理について説明する。
【００３１】
画像取得部１２は、ユーザが利用する情報通信端末２０で撮像した「花」の画像データ２を取得する（Ｓ１０２）。尚、画像データ２は、ユーザが利用する情報通信端末２０で撮像した画像データでなくても、インターネット等を経由して入手した画像データ２であってもよい。
【００３２】
検索対象入力受付部１３は、情報通信端末２０の表示部２１に表示させた画像データ２から検索対象物２ａの選択を受け付ける（Ｓ１０３）。そして、検索対象入力受付部１３は、受け付けた検索対象物２ａの部分を切り出し、拡大、回転、移動させることにより、画像データベース１１に記憶された照合用画像データ１００と類似度を算出しやすい構図となるよう画像データ２を変換させる。検索対象物２ａの選択を受け付ける方法は特に限定されず、例えば検索対象物２ａをタップすることや、図５に示すように検索対象物２ａを囲むように選択ウィンドウ３を移動することにより、検索対象物２ａの選択を受け付ける。
【００３３】
画像検索処理部１４は、検索対象入力受付部１３が受け付けた検索対象物２ａに対し、画像データベース１１に記憶された照合用被撮像物との類似度を算出する（Ｓ１０４）。類似度を算出する方法としては、公知の画像処理技術によって抽出される、輪郭形状、二値化画像、色分布等を用いて算出する。このように算出された類似度は数値として表示することができ、検索対象物２ａと照合用被撮像物とが完全に一致した場合を１００％とする。
【００３４】
そして、画像検索処理部１４は、類似度が基準値を超えた照合用被撮像物が撮像された照合用画像データ１００を検索する（Ｓ１０５）。ここで、基準値は適宜変更可能であるが、例えば８０％を基準値として設定しても良い。
【００３５】
表示処理部１５は、照合用画像データ１００と識別情報１００ａとを含む検索結果１１０を情報通信端末２０の表示部２１に表示する（Ｓ１０６）。検索結果１１０は、例えば画像検索処理部１４により算出された類似度が高い検索結果１１０から低い検索結果１１０への順番に、並べて表示される。また、表示処理部１５は、図６に示すように算出された類似度が高い検索結果１１０が最も大きな表示サイズになるように表示してもよい。
【００３６】
さらに、表示処理部１５は、ユーザからの検索結果１１０への選択入力を受け付け、図７に示す照合用被撮像物と照合用被撮像物に対する識別情報１００ａとから構成される画面１１０ａを情報通信端末２０の表示部２１に表示することも可能である。
【００３７】
表示処理部１５は、図７に示す登録ボタン１１１の入力を受け付けると、情報通信端末２０の表示部２１に表示された検索結果１１０に対するユーザからの選択入力を受け付け、図８に示す画像データ２を登録するか否かの選択入力を促す画面を表示する。
【００３８】
そして、図８に示す画像データ２を登録するか否かの選択入力を促す画面において、Ｙｅｓボタンが入力されることにより（Ｓ１０７）、検索結果処理部１６は、画像取得部１２が取得した画像データ２を照合用画像データ１００として、ユーザからの選択入力を受け付けた検索結果１１０の識別情報１００ａに関連付けて画像データベース１１に記憶する（Ｓ１０８）。具体的には、図９に示すように画像データ２に照合用画像データ１００を区別するための画像ＩＤを付与すると共に、識別情報１００ａの識別ＩＤに関連付けて、画像データベース１１に記憶する。
【００３９】
このように、画像データ２が照合用画像データ１００として順次蓄積されていくことになり、算出される類似度の精度が向上するため、検索精度の向上を図ることができ、より正確な検索結果１１０を提供することが可能となる。
【実施例２】
【００４０】
実施例１では、ユーザが撮像した画像データ２を照合用画像データ１００として、画像データベース１１に記憶するかはユーザ各自の判断に委ねられるため、画像データ２が照合用画像データ１００として記憶するのに妥当でない場合がある。そこで、本実施例２では、所定の条件を満たす画像データ２のみを照合用画像データ１００として、画像データベース１１に記憶できる場合について説明する。実施例２の処理プロセスの一例を図１１に示すフローチャートを用いて、説明する。尚、実施例１と同様な処理については、同じ符号を付して、詳細な説明は省略する。
【００４１】
図８に示す画像データ２を登録するか否かの選択入力を促す画面において、Ｙｅｓボタンが入力されると、検索結果処理部１６は類似度が基準値より高く設定された所定値を超えたか否かを判定する（Ｓ２０１）。そして、検索結果処理部１６は、類似度が基準値より高く設定された所定値を超えたと判定した場合、その検索対象物２ａの画像データ２を照合用画像データ１００として、ユーザからの選択入力を受け付けた検索結果１１０の識別情報１００ａに関連付けて画像データベース１１に記憶する（Ｓ１０８）。
【００４２】
照合用画像データ１００として、識別情報１００ａに関連付けられるのが類似度の高い画像データ２のみに限定されることによって、検索精度の向上がより図られることになる。
【実施例３】
【００４３】
実施例１、２では、検索対象物２ａと画像データベース１１に記憶された全ての照合用被撮像物とを算出し、算出された類似度が基準値を超えた場合、類似度が高いとして、その検索結果１１０をユーザが利用する情報通信端末２０の表示部２１に表示させていた。上述した通り、照合用画像データ１００の数が増加されることによって、画像検索処理部１４による類似度の算出処理における処理速度の遅延や、当該類似度の算出処理を実施する管理サーバ１０への負荷が増大することになる。そこで、本実施例３では、類似度を算出する照合用画像データ１００の数を限定する場合について、図１２に示すフローチャートを用いて説明する。尚、実施例１、２と同様な処理については、同じ符号を付して、説明は省略する。
【００４４】
検索対象入力受付部１３は、検索対象物２ａの入力だけでなく、検索対象物２ａに対応する属性情報の入力を受け付ける（Ｓ３０１）。本実施形態の検索対象物２ａは「花」であるため、種類情報は「草花」の選択を受け付ける。さらに、検索対象物２ａの撮影位置情報、撮影時間情報の入力を受け付けてもよい。撮影位置情報、及び撮影時間情報は、それぞれ情報通信端末２０に設けられたＧＰＳ装置及び日付装置から取得する。
【００４５】
画像検索処理部１４は、検索対象入力受付部１３が受け付けた検索対象物２ａに対応する属性情報に対し、画像データベース１１に記憶された照合用被撮像物に対応する属性情報１００ｂとの一致度を算出し（Ｓ３０２）、一致度が属性基準値を超えた照合用被撮像物を抽出する（Ｓ３０３）。例えば、一致度は検索対象物２ａの属性情報と照合用被撮像物の属性情報１００ｂとが完全に一致した場合を１００％として、算出する。
【００４６】
そして、画像検索処理部１４は、検索対象物２ａと抽出した照合用被撮像物との類似度を算出し（Ｓ１０４）、類似度が基準値を超えた照合用被撮像物の照合用画像データ１００を検索する（Ｓ１０５）。本実施例３では、検索対象物２ａに対応する属性情報の種類情報が「草花」である場合、属性情報１００ｂの種類情報が「草花」に設定された照合用被撮像物に限定して、類似度を算出するため、検索範囲が限定されることになり、処理速度が向上する。
【００４７】
また検索対象物２ａに対応する属性情報の撮影時間情報から「昼間」に該当する場合、属性情報１００ｂの撮影時間情報が「昼間」に設定された照合用被撮像物に限定することにより、撮影条件が近いもの同士で類似度を算出することができるため、検索精度が向上することが可能となる。
【００４８】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００４９】
図１３に示すように、表示処理部１５は、検索結果処理部１６により検索対象物２ａの画像データ２が関連付けられた識別情報１００ａを画像データ２の検索対象物２ａの近傍に表示させてもよい。具体的には、検索対象入力受付部１３が、検索対象物２ａの部分を切り出す際、検索対象物２ａの画像データ２に対する座標位置情報を取得する。そして、表示処理部１５は、検索結果処理部１６により検索対象物２ａの画像データ２が関連付けられた識別情報１００ａを座標位置情報と重複しない位置にずらして表示する。
【符号の説明】
【００５０】
１…画像情報処理システム
２…画像データ
３…選択ウィンドウ
１０…管理サーバ
１１…画像ＤＢ
１２…画像取得部
１３…検索対象入力受付部
１４…画像検索処理部
１５…表示処理部
１６…検索結果処理部
２０…情報通信端末
２１…表示部
３０…演算装置
３１…記憶装置
３２…表示装置通信装置
３３…入力装置
３４…通信装置
１００…照合用画像データ
１１０…検索結果
【図１】
2017004252.tif 000003
【図２】
2017004252.tif 000004
【図３】
2017004252.tif 000005
【図４】
2017004252.tif 000006
【図５】
2017004252.tif 000007
【図６】
2017004252.tif 000008
【図７】
2017004252.tif 000009
【図８】
2017004252.tif 000010
【図９】
2017004252.tif 000011
【図１０】
2017004252.tif 000012
【図１１】
2017004252.tif 000013
【図１２】
2017004252.tif 000014
【図１３】
2017004252.tif 000015